(57)【要約】【課題】  転倒防止の信頼性が高く、取付も容易で、外観にも優れた家具転倒防止具を提供する。【解決手段】  雄ねじ部２ｃと、一端に取付部２ａとを有する棒状部材２と、棒状部材２の雄ねじ部２ｃに螺合する雌ねじ部３ｃと、一端に取付部３ａとを有する筒状部材３とを備える家具転倒防止具１。棒状部材２及び筒状部材３の取付部２ａ、３ａの間隔を雄ねじ部２ｃと雌ねじ部３ｃで調整しながら、両取付部２ａ、３ａを家具１０の天板１０ａ及び壁面１１等に取り付け、家具の転倒を防止する。棒状部材２の雄ねじ部２ｃの自由端部の近傍に、過延防止用印２ｄを備えることが好ましい。家具１０の天板１０ａに固定されるブラケット４Ａと、壁面１１等に固定されるブラケット４Ｂとを介して、棒状部材２と筒状部材３とを家具１０と壁面１１等に取り付けることができる。【選択図】  図１
2007044101.tif 000002
【特許請求の範囲】
【請求項１】
雄ねじ部と、一端に取付部とを有する棒状部材と、
該棒状部材の前記雄ねじ部に螺合する雌ねじ部と、一端に取付部とを有する筒状部材とを備えることを特徴とする家具転倒防止具。
【請求項２】
前記筒状部材の前記取付部は、前記雌ねじ部と一体化された筒状本体に対して回動可能であることを特徴とする請求項１に記載の家具転倒防止具。
【請求項３】
前記棒状部材の前記雄ねじ部の自由端部の近傍に、過延防止用印を備えることを特徴とする請求項１又は２に記載の家具転倒防止具。
【請求項４】
前記棒状部材又は筒状部材の一方の取付部と連結可能で、家具の天板に取り付けられるブラケットと、前記棒状部材又は筒状部材の他方の取付部と連結可能で、壁面、柱、鴨居、上桟、長押し又は回り縁に取り付けられるブラケットとを備えることを特徴とする請求項１、２又は３に記載の家具転倒防止具。
【発明の詳細な説明】
【技術分野】
【０００１】
本発明は、家具転倒防止具に関し、特に、家具を家屋の壁面等を利用して支持し、地震が発生した際に家具の転倒を防止するために用いられる器具に関する。
【背景技術】
【０００２】
従来、地震が発生した際に家具が転倒するのを防止するため、家具の天板と家屋の天井との間に挿入する横置きＨ型又は箱形の支持具が存在する。地震が発生した際に、家屋の天井を支点として前記支持具を介して家具を抑えることにより、家具が振動するのを防ぎ、転倒を防止する。
【０００３】
また、同様の目的で、家具が設置されている部屋の壁面等を利用して、チェーン式や、ターンバックル式の転倒防止具、又はワイヤーロープを壁面等と家具の天板との間に掛け渡すものも存在する。
【発明の開示】
【発明が解決しようとする課題】
【０００４】
しかし、上記従来の横置きＨ型等の家具転倒防止具を、特に、和室に用いると、和式天井は吊り天井となっているため、天井に対して下方より力がかかると、天井そのものが浮き上がり、家具の転倒防止機能を発揮し得ない。また、和式天井に限らず、家屋の天井は、吊り下げ式と大差ない構造のものが多く、そのような天井については、家具の転倒防止について絶対的な信頼をおくことはできないという問題があった。
【０００５】
一方、チェーン式や、ターンバックル式の転倒防止具、又はワイヤーロープを用いた転倒防止具については、一旦取り付けられると、家具の転倒防止に寄与すると考えられるが、これらの取付の際には、各々の転倒防止具を構成する部品の長さを調整したり、個々の部品を接続するのが面倒で、実用的ではないという問題があった。また、ターンバックル式の転倒防止具では、長さの調整代が少なく、取付に不便であるという問題があった。さらに、これらの転倒防止具を取り付けた後は、ターンバックルやワイヤーロープが露出するため、外観を損なうという問題もあった。
【０００６】
そこで、本発明は、上記従来の家具転倒防止具における問題点に鑑みてなされたものであって、家具の転倒防止の信頼性が高く、取付も容易に行うことができ、外観にも優れた家具転倒防止具を提供することを目的とする。
【課題を解決するための手段】
【０００７】
上記目的を達成するため、本発明は、家具転倒防止具であって、雄ねじ部と、一端に取付部とを有する棒状部材と、該棒状部材の前記雄ねじ部に螺合する雌ねじ部と、一端に取付部とを有する筒状部材とを備えることを特徴とする。
【０００８】
そして、本発明にかかる家具転倒防止具によれば、例えば、棒状部材の一端の取付部を家具の天板に取り付け、棒状部材の雄ねじ部と、筒状部材の雌ねじ部とを螺合させて、前記棒状部材の一端の取付部と、筒状部材の一端の取付部との間隔を調整しながら、筒状部材の一端の取付部を壁面等に取り付けるだけで、家具の転倒を防止することができ、取付後は、棒状部材及び筒状部材によって家具を固定することができるため、信頼性が高く、取付も容易に行うことができる。また、本発明では、従来のようにターンバックルや、ワイヤーロープが露出することがなく、主に筒状部材と雄ねじ部が露出するに過ぎないため、家具及びその近傍の外観を損なう程度も小さくて済む。
【０００９】
前記家具転倒防止具において、前記筒状部材の前記取付部は、前記雌ねじ部と一体化された筒状本体に対して回動可能とすることができる。これによって、この家具転倒防止具の長さを調整するために前記筒状部材を回転させても、前記取付部は、筒状部材の回転とは関係なくそのままの状態を維持することができるため、家具転倒防止具の取付をより容易に行うことができる。
【００１０】
前記家具転倒防止具において、前記棒状部材の前記雄ねじ部の自由端部の近傍に、過延防止用印を備えることができる。これによって、棒状部材の取付部と、筒状部材の取付部の間隔を広げ過ぎて、棒状部材の雄ねじ部が筒状部材の雌ねじ部から抜けてしまうことを防止することができる。
【００１１】
前記家具転倒防止具において、前記棒状部材又は筒状部材の一方の取付部と連結可能で、家具の天板に取り付けられるブラケットと、前記棒状部材又は筒状部材の他方の取付部と連結可能で、壁面、柱、鴨居、上桟、長押し又は回り縁に取り付けられるブラケットとを備えることができる。予め、ブラケットを家具の天板、及び壁面等に取り付けておき、棒状部材及び筒状部材の両取付部と、両ブラケットの各々とを、ピンで連結することにより、簡単に家具転倒防止具を取り付けることができる。
【発明の効果】
【００１２】
以上のように、本発明によれば、家具の転倒防止の信頼性が高く、取付も容易に行うことができ、外観にも優れた家具転倒防止具を提供することができる。
【発明を実施するための最良の形態】
【００１３】
図１は、本発明にかかる家具転倒防止具の一実施の形態を示し、この家具転倒防止具１は、大別して、棒状部材２と、筒状部材３と、ブラケット４とで構成される。
【００１４】
棒状部材２は、貫通穴２ｅを有する取付部２ａと、この取付部２ａと固定ピン２ｂを介して一体化された雄ねじ部２ｃと、雄ねじ部２ｃの自由端部の近傍に形成された、過延防止用印としての溝部２ｄからなる。溝部２ｄの底には、赤色の塗料が塗られている。
【００１５】
筒状部材３は、円筒部３ｂの一端に軸受け部３ｅが装着され、ねじ３ｆによって一体化され、軸受け部３ｅには、貫通穴３ｄを有する取付部３ａが回動可能に組み込まれ、取付部３ａは、軸方向の移動がＣ型止め輪３ｊによって規制されている。この構成により、取付部３ａがブラケット４にピン６によって固定されると、取付部３ａは回動することがなくなり、逆に、軸受け部３ｅとともに円筒部３ｂが回動可能となる。
【００１６】
また、筒状部材３は、円筒部３ｂとねじ３ｇによって一体化されるとともに、内側に雌ねじ部３ｃが螺設されたスリーブ３ｈと、円筒部３ｂの軸線方向の中央部の外表面にローレット部３ｉとを備える。
【００１７】
ブラケット４は、平面視コの字状の本体４ａと、側面に穿設された穴部４ｂからなる。また、ブラケット４を家具又は壁面等に固定するためのねじ５と、ブラケット４と筒状部材３の取付部３ａ等とを連結するためのピン６も家具転倒防止具の構成要素である。
【００１８】
ここで、棒状部材２の雄ねじ部２ｃの露出部の長さＡと、雄ねじ部２ｃの自由端から筒状部材３の取付部３ａの右端部までの距離Ａ’とを等しく構成する。また、筒状部材３の雌ねじ部３ｃの長さＢと、棒状部材２の雄ねじ部２ｃの自由端から溝部２ｄまでの長さＢ’とを等しく構成する。これによって、家具転倒防止具１の全体の長さをコンパクトに構成することができる。
【００１９】
次に、上記構成を有する家具転倒防止具１の使用方法について、図１及び図２を参照しながら説明する。
【００２０】
まず、図２に示すように、ブラケット４（４Ａ、４Ｂ）を家具１０の天板１０ａ及び壁面１１にねじ５を用いて取り付ける。この際、天板１０ａ及び壁面１１の剛性の大きい部分に取り付ける必要がある。そのため、例えば、裏側に横架材１１ａの位置する壁面１１の表面にブラケット４Ｂを取り付ける。また、家具１０は、できるだけ壁面１１に近づけておく。
【００２１】
次に、図１に示す棒状部材２の貫通穴２ｅ、及び天板１０ａに取り付けたブラケット４Ａの穴部４ｂにピン６を挿通し、棒状部材２の取付部２ａをブラケット４Ａに回動可能に取り付ける。そして、筒状部材３のローレット部３ｉを手で回転させながら家具転倒防止具１を伸張又は短縮させ、筒状部材３の取付部３ａを壁面１１に取り付けられているブラケット４Ｂに近づけ、筒状部材３の貫通穴３ｄとブラケット４Ｂの穴部４ｂとを重ね合わせるようにして両者間にピン６を挿通させる。その後、棒状部材２の取付部２ａと、筒状部材３の取付部３ａとを互いに近接させるように、筒状部材３のローレット部３ｉを手で回転させて締め込み、適切な引張力を加えることで家具転倒防止具１の取付が完了する。
【００２２】
本体４ａの穴部４ｂに挿入されたピン６は、家具転倒防止具１が引張力を掛けることにより、ピン６に形成された２条の溝に本体４ａの穴部４ｂが嵌り込み、ピン６は軸方向への移動が不能となり、家具転倒防止具１の組立後は抜け落ちることはない。
【００２３】
尚、家具転倒防止具１を伸張している過程で、棒状部材２の雄ねじ部２ｃの露出部に溝部２ｄが現れた場合には、家具転倒防止具１をそれ以上伸張させると、筒状部材３の雌ねじ部３ｃに螺合することのできる雄ねじ部２ｃが徐々に短くなるため、家具転倒防止具１をそれ以上伸張させないようにする。
【００２４】
図２に示すような状態で家具転倒防止具１が家具１０と壁面１１との間に介在することにより、地震が発生した場合でも、家具１０を強固に固定することができ、家具１０の転倒を確実に防止することができる。ここで、家具転倒防止具１をより効率的に機能させるため、家具１０の天板１０ａと、家具転倒防止具１の軸線方向とのなす角度を４５度以下とすることが好ましい。また、この家具転倒防止具１は、家具１０の大きさに合わせ、天板１０ａに複数配置することが好ましい。
【００２５】
尚、上記実施の形態においては、本発明にかかる家具転倒防止具１を家屋の部屋の壁面１１に取り付ける場合を例にとって説明したが、部屋の壁面以外にも、柱、鴨居、上桟、長押し、回り縁等、剛性の大きい部分に取り付けることも可能である。
【００２６】
また、上記実施の形態においては、家具転倒防止具１の棒状部材２を、ブラケット４Ａを介して家具１０側に、筒状部材３を、ブラケット４Ｂを介して壁面１１側に取り付ける場合を例にとって説明したが、家具転倒防止具１の棒状部材２を壁面１１側に、筒状部材３を家具１０側に取り付けることもできる。
【図面の簡単な説明】
【００２７】
【図１】本発明にかかる家具転倒防止具の一実施の形態を示す一部断面図である、
【図２】図１の家具転倒防止具の使用例を示す斜視図である。
【符号の説明】
【００２８】
１  家具転倒防止具
２  棒状部材
２ａ  取付部
２ｂ  固定ピン
２ｃ  雄ねじ部
２ｄ  溝部
２ｅ  貫通穴
３  筒状部材
３ａ  取付部
３ｂ  円筒部
３ｃ  雌ねじ部
３ｄ  貫通穴
３ｅ  軸受け部
３ｆ  ねじ
３ｇ  ねじ
３ｈ  スリーブ
３ｉ  ローレット部
３ｊ  Ｃ型止め輪
４（４Ａ、４Ｂ）  ブラケット
４ａ  本体
４ｂ  穴部
５  ねじ
６  ピン
１０  家具
１０ａ  天板
１１  壁面
１１ａ  横架材
【図１】
2007044101.tif 000003
【図２】
2007044101.tif 000004